(57)【要約】      （修正有）【課題】緊急時において手術器具セットの管理を適切に行うことができる手術器具セット管理システムを提供する。【解決手段】管理システム１０は、少なくとも一つの手術用器具を含む手術器具セットを管理する。管理システム１０は、手術器具セットを表示する表示画面２２と、手術器具セットに緊急情報を登録する登録部４５と、緊急情報が登録された手術器具セットである特定の緊急手術器具セットを表示画面２２に第１の方法で表示し、かつ、緊急情報が登録されていない手術器具セットである通常手術器具セットを表示画面に第１の方法とは異なる第２の方法で表示する表示部６５と、を備える。【選択図】図３
2020194266.tif 000002
【特許請求の範囲】
【請求項１】
少なくとも一つの手術用器具を含む手術器具セットを管理する管理システムであって、
前記手術用器具は、前記手術用器具を用いて手術を行う手術工程と、手術後の前記手術用器具を回収する回収工程と、回収後の前記手術用器具を洗浄する洗浄工程と、洗浄後の前記手術用器具を用いて前記手術器具セットを組み立てる組立工程と、組立後の前記手術器具セットに対して滅菌処理を行う滅菌処理工程と、滅菌処理後の前記手術器具セットを保管する保管工程とを含む所定の循環サイクルにおいて繰り返し使用可能に構成され、
前記手術器具セットを表示する表示画面と、
前記手術器具セットに緊急情報を登録する登録部と、
前記緊急情報が登録された前記手術器具セットである緊急手術器具セットを前記表示画面に第１の方法で表示し、かつ、前記緊急情報が登録されていない前記手術器具セットである通常手術器具セットを前記表示画面に第１の方法とは異なる第２の方法で表示する表示部と、を備えている、管理システム。
【請求項２】
前記表示部は、前記第１の方法として、前記表示画面に前記緊急手術器具セットの写真を表示しかつ前記緊急手術器具セットの写真の背景を第１の色にし、かつ、前記第２の方法として、前記表示画面に前記通常手術器具セットの写真を表示しかつ前記通常手術器具セットの写真の背景を第１の色とは異なる第２の色にする、請求項１に記載の管理システム。
【請求項３】
前記表示部は、前記洗浄工程および前記組立工程および前記滅菌処理工程の少なくともいずれかの工程において、前記緊急手術器具セットを前記表示画面に表示する、請求項１または２に記載の管理システム。
【請求項４】
前記緊急情報は、緊急処理に関する情報と、受け渡し方法に関する情報とを含む、請求項１から３のいずれか一項に記載の管理システム。
【請求項５】
前記緊急処理に関する情報および前記受け渡し方法に関する情報を変更する変更部を備えている、請求項４に記載の管理システム。
【請求項６】
前記表示部は、前記登録部によって登録された前記緊急情報を含む前記緊急手術器具セットが複数あるとき、登録された複数の前記緊急手術器具セットの第１リストを前記表示画面に表示する、請求項４に記載の管理システム。
【請求項７】
前記第１リストに含まれる複数の前記緊急手術器具セットのいずれか一つを選択する選択部と、
前記緊急処理が完了したか否かを判定する判定部と、を備え、
前記選択部は、前記判定部によって前記緊急処理が完了したと判定された前記緊急手術器具セットを選択できないように構成されている、請求項６に記載の管理システム。
【請求項８】
前記表示部は、前記判定部によって前記緊急処理が完了したと判定された前記緊急手術器具セットをグレイアウトして前記表示画面に表示させる、請求項７に記載の管理システム。
【請求項９】
前記組立工程には、組み立てられた前記手術器具セットの内容が適切であるかを確認する確認工程が含まれ、
前記確認工程において、前記表示部は、組み立てられた複数の前記手術器具セットの第２リストを前記表示画面に表示するときに、前記緊急手術器具セットを前記第２リストの先頭に表示する、請求項１から８のいずれか一項に記載の管理システム。
【請求項１０】
手術計画を記憶する記憶部を備え、
前記登録部は、前記手術計画に基づいて、手術開始までの時間が所定の時間以内の前記手術器具セットに前記緊急情報を登録する、請求項１から９のいずれか一項に記載の管理システム。
【請求項１１】
前記表示部は、前記登録部によって登録された前記緊急情報を含む前記緊急手術器具セットが複数あるとき、前記手術計画に基づいて、手術の順番通りに複数の前記緊急手術器具セットを前記表示画面に表示する、請求項１０に記載の管理システム。
【発明の詳細な説明】
【技術分野】
【０００１】
本発明は、手術器具セット管理システムに関する。
【背景技術】
【０００２】
従来から、病院において手術が行われるとき、鉗子等の複数の手術用器具が用いられている。ここで、手術では、手術内容に応じて少なくとも一つの手術用器具を含む手術器具セットを複数用いている。手術器具セットは、次に示す各工程を含む循環サイクルにおいてセット単位で循環し、繰り返し使用されている。
【０００３】
通常、循環サイクルには、手術工程と、回収工程と、洗浄工程と、組立工程と、滅菌処理工程と、保管工程とが含まれる。手術工程では、手術用器具を用いて手術が行われる。回収工程では、手術後の手術用器具が回収される。洗浄工程では、回収後の手術用器具が洗浄される。組立工程では、洗浄後の手術用器具を用いて手術器具セットが組み立てられる。滅菌処理工程では、組立後の手術器具セットに対して滅菌処理が行われる。保管工程では、滅菌処理後の手術器具セットが保管される。
【発明の概要】
【発明が解決しようとする課題】
【０００４】
ところで、病院においては通常の手術に加えて緊急の手術も行われる。手術で用いられる手術器具セットは、手術内容や手術器具セットを用いる医師によって異なり、その種類は非常に多い。さらには、手術器具セットに含まれる手術用器具の数も多種多様である。このため、緊急の手術が実施されるときには、多種多様な手術用器具の中から適切な手術器具セットを速やかに用意する必要がある。ここで、従来は、緊急の手術が実施されることになると、手術で使用される手術器具セットの内容が口頭や電話を介して伝達されていた。この結果、伝達による情報漏れが発生したり、再確認の必要が生じたりしていた。また、一部の作業者にしか緊急の内容が共有されない状況が発生し得た。
【０００５】
本発明はかかる点に鑑みてなされたものであり、その目的は、緊急を要する場合において手術器具セットの管理を適切に行うことができる管理システムを提供することである。
【課題を解決するための手段】
【０００６】
本発明に係る管理システムは、少なくとも一つの手術用器具を含む手術器具セットを管理する。前記手術用器具は、前記手術用器具を用いて手術を行う手術工程と、手術後の前記手術用器具を回収する回収工程と、回収後の前記手術用器具を洗浄する洗浄工程と、洗浄後の前記手術用器具を用いて前記手術器具セットを組み立てる組立工程と、組立後の前記手術器具セットに対して滅菌処理を行う滅菌処理工程と、滅菌処理後の前記手術器具セットを保管する保管工程とを含む所定の循環サイクルにおいて繰り返し使用可能に構成されている。前記管理システムは、前記手術器具セットを表示する表示画面と、前記手術器具セットに緊急情報を登録する登録部と、前記緊急情報が登録された前記手術器具セットである緊急手術器具セットを前記表示画面に第１の方法で表示し、かつ、前記緊急情報が登録されていない前記手術器具セットである通常手術器具セットを前記表示画面に第１の方法とは異なる第２の方法で表示する表示部と、を備えている。
【０００７】
本発明に係る管理システムによると、登録部は、手術器具セットに緊急情報を登録する。即ち、緊急の手術が実施されるときには、作業者は、特定の手術器具セットに対して緊急に準備が必要であるという情報を付与することができる。そして、表示部は、緊急手術器具セットを表示画面に第１の方法で表示し、かつ、通常手術器具セットを表示画面に第２の方法で表示する。これにより、他の作業者が表示画面に表示された手術器具セットの表示態様を確認することによって、どの手術器具セットを優先して準備する必要があるかを容易に理解することができる。ここでは、緊急手術器具セットが第１の方法で表示され、通常手術器具セットは第２の方法で表示されるため、作業者は第１の方法で表示された緊急手術器具セットを優先して準備することができる。
【発明の効果】
【０００８】
本発明によれば、緊急を要する場合において手術器具セットの管理を適切に行うことができる手術用器具管理システムを提供することができる。
【図面の簡単な説明】
【０００９】
【図１】一実施形態に係る管理システムの構成例を示す概要図である。
【図２】一実施形態に係る管理システムが用いられる循環サイクルの説明図である。
【図３】一実施形態に係る管理システムの構成を示すブロック図である。
【図４】表示画面に手術器具セットが表示された状態を示す説明図である。
【図５】表示画面に手術器具セットの詳細な情報が表示された状態を示す説明図である。
【図６】表示画面に第１リストが表示された状態を示す説明図である。
【図７】緊急情報を登録する画面に切り替わった状態を示す説明図である。
【図８】第１リストに緊急手術器具セットが表示された状態を示す説明図である。
【図９】緊急情報を登録する画面に切り替わった状態を示す説明図である。
【図１０】第１リストに緊急手術器具セットが表示された状態を示す説明図である。
【図１１】緊急手術器具セットの一部がグレイアウトして表示された状態を示す説明図である。
【図１２】表示画面に第２リストが表示された状態を示す説明図である。
【００１０】
以下、図面を参照しながら、本発明の一実施形態に係る管理システムを説明する。なお、ここで説明される実施形態は、当然ながら本発明を限定することを意図したものではない。また、同じ作用を奏する部材・部位には同じ符号を付し、重複する説明は適宜省略または簡略化する。
【００１１】
管理システム１０は、手術器具セット８０を管理する。図１に示すように、管理システム１０は、携帯端末２０Ａ〜２０Ｃと、サーバー１２と、ルータ１４とを備えている。携帯端末２０Ａ〜２０Ｃおよびサーバー１２は、ルータ１４を通じて構築される無線通信ネットワークによって相互に情報通信が可能な状態で接続されている。サーバー１２は、管理システム１０の各処理の基幹となるホストコンピュータである。サーバー１２は、情報を記憶する大容量の記憶装置１６を備えている。なお、本実施形態では、携帯端末２０Ａ〜２０Ｃは３つであるが、これに限定されない。
【００１２】
手術器具セット８０は、少なくとも一つの手術用器具８２を含む。手術用器具８２は、原則として、後述する循環サイクル９０（図２参照）において繰り返し使用可能に構成されている。手術用器具８２としては、例えば、鉗子、剪刃、メス（例えばレーザーメスや電気メス）、超音波カッター、メスホルダー、カニューレ、鑷子、開創器、スケール、ゾンデ、エレバ、ラスパ、吸引管、開胸器、閉胸器、持針器、注射器、金属ボール、膿盆、コップ、ピン、ミラー、やすり、開口器、クレンメ、ハンドピース、エレパトリューム、ノミ、鋭匙、剥離子、鏡、縫合針、スタンツェ、受水器、針、圧子、ブジー、通気管、骨片打ち込み棒、リウエル、ラジオペンチ、ハンマー、角度計、穿孔器、スポイト、金属綿棒、浣腸器、シリンジおよび内視鏡等が挙げられる。なお、上記例は、手術用器具８２の一部を列挙したに過ぎず、手術用器具８２は上記例に限定されない。
【００１３】
図２に示すように、循環サイクル９０は、手術工程９１と、回収工程９２と、洗浄工程９３と、組立工程９４と、滅菌処理工程９５と、保管工程９６とを含む。循環サイクル９０では、手術工程９１、回収工程９２、洗浄工程９３、組立工程９４、滅菌処理工程９５、保管工程９６、手術工程９１の順に手術用器具８２が循環する。ここで、循環サイクル９０では、通常、手術用器具８２単体ではなく、手術器具セット８０が循環する。手術器具セット８０は、手術の内容や使用する医者によって異なり、多種多様である。
【００１４】
手術工程９１では、保管された手術器具セット８０の手術用器具８２を用いて患者の手術を行う。回収工程９２では、手術で用いた手術用器具８２を回収する。なお、通常は、回収工程９２において、手術用器具８２は、手術器具セット８０単位ではなくバラバラになって個別に回収される。洗浄工程９３では、回収された手術用器具８２を洗浄する。なお、手術用器具８２を洗浄することには、一つの手術用器具８２を部品単位で分解して部品ごとに洗浄することが含まれる。洗浄方法としては、例えば、手洗いによる洗浄や、超音波による洗浄等が挙げられる。組立工程９４では、洗浄された手術用器具８２を用いて手術器具セット８０を組み立てる。即ち、組立工程９４では、洗浄工程９３においてバラバラに洗浄された各手術用器具８２を用いて所定の手術器具セット８０を組み立てる。なお、組立工程９４では、洗浄工程９３において部品単位に分解された手術用器具８２を一つの手術用器具８２に戻すことが含まれる。滅菌処理工程９５では、組み立てられた手術器具セット８０に対して滅菌処理を行う。滅菌処理としては、例えば、酸化エチレンガスによるガス滅菌や、プラズマ滅菌、オートクレーブを用いた加熱滅菌等が挙げられる。保管工程９６では、滅菌処理後の手術器具セット８０を所定の保管スペースに保管する。なお、緊急手術の場合には、保管工程９６を省略して滅菌処理工程９５の次に手術工程９１が続く場合がある。
【００１５】
本実施形態では、組立工程９４には、組み立てられた手術器具セット８０の内容が適切であるかを確認する確認工程が含まれる。確認工程では、手術器具セット８０を組み立てた作業者とは異なる作業者によって組み立てられた手術器具セット８０の内容が適切であるかが確認される。
【００１６】
次に、サーバー１２の構成について詳細に説明する。図３に示すように、サーバー１２は、記憶部４１と、第１送受信部４３と、登録部４５と、変更部４７と、判定部４９とを備えている。これら各部は、ソフトウェアによって構成されていてもよい。すなわち、上記各部は、コンピュータプログラムがサーバー１２に読み込まれることにより、当該サーバー１２によって実現されるようになっていてもよい。当該コンピュータプログラムは、ＣＤやＤＶＤ等のコンピュータ読み取り可能な記録媒体に含まれ得る。当該コンピュータプログラムは、インターネットを通じてダウンロードされるものであってもよい。また、上記各部は、サーバー１２に構成されたプロセッサおよび／または回路によって実現されるものであってもよい。
【００１７】
記憶部４１は、手術器具セット８０（図１参照）の情報を記憶する。手術器具セット８０の情報には、例えば、手術器具セット８０の写真や手術器具セット８０を構成する複数の手術用器具８２の情報（例えば組立方法や洗浄方法）が含まれる。記憶部４１は、手術計画を記憶する。手術計画には、手術の日時、手術の内容および手術で使用される手術器具セット８０等が互いに関連付けられて記録されている。本実施形態では、記憶部４１は、記憶装置１６に設けられている。
【００１８】
第１送受信部４３は、携帯端末２０Ａ〜２０Ｃとの間で手術器具セット８０の情報を送受信する。より詳細には、第１送受信部４３は、後述する緊急情報が登録された手術器具セットである緊急手術器具セット８０Ｅ（図８参照）の情報を携帯端末２０Ａ〜２０Ｃに送信する。第１送受信部４３は、緊急情報が登録されていない手術器具セットである通常手術器具セット８０Ｎ（図４参照）の情報を携帯端末２０Ａ〜２０Ｃに送信する。第１送受信部４３は、携帯端末２０Ａ〜２０Ｃから送信される手術器具セット８０の緊急情報を受信する。第１送受信部は、携帯端末２０Ａ〜２０Ｃから送信される緊急手術器具セットの変更後の緊急情報を受信する。
【００１９】
登録部４５は、作業者によって携帯端末２０Ａ〜２０Ｃの後述する入力部６９を介して特定の手術器具セット８０に緊急情報が入力されると、該特定された手術器具セット８０に緊急情報を登録する（図８参照）。緊急情報が登録された手術器具セット８０は、緊急手術器具セット８０Ｅ（図８参照）として記憶部４１に記憶される。ここで、緊急情報は、緊急処理に関する情報と、受け渡し方法に関する情報とを含む。緊急処理に関する情報としては、例えば、本日中に手術器具セット８０の洗浄を完了させることを意味する「本日中に洗浄まで」、本日中に手術器具セット８０の組み立てを完了させることを意味する「本日中に組み立てまで」、および、本日中に手術器具セット８０の滅菌処理を完了させることを意味する「本日中に滅菌処理まで」等の情報が含まれる。また、受け渡し方法に関する情報としては、手術用の台車に置くことを意味する「台車に置く」、所定の場所に配達する「配達」、看護師等が受け取りに来ることを意味する「受け取り」、所定の場所に保管する「保管」、および、特に受け取りに関して指定しない「指定なし」等の情報が含まれる。なお、緊急処理に関する情報および受け渡し方法に関する情報は上記のものに限定されず、作業者の利用状況に合わせて適宜変更および追加することができる。図８に示すように、緊急手術器具セット８０Ｅの写真８０ＥＰの下の欄に緊急情報が表示される。図８に示す例では、緊急手術器具セット８０Ｅの緊急処理に関する情報として「本日中に滅菌処理まで」が登録され、かつ、受け渡し方法に関する情報として「台車に置く」が登録されている。
【００２０】
登録部４５は、記憶部４１に記憶された手術計画に基づいて、手術開始までの時間が所定の時間以内の手術器具セット８０に緊急情報を登録する。上記所定の時間とは、例えば、１日であるがこれに限定されない。即ち、登録部４５は、事前に手術の日時が決まっている手術において用いる手術器具セット８０に関しては、手術の日時が近づくと自動的に特定の手術器具セット８０に緊急情報を登録する。
【００２１】
変更部４７は、作業者によって携帯端末２０Ａ〜２０Ｃの入力部６９を介して既に登録された緊急手術器具セット８０Ｅの緊急情報が変更されると、記憶部４１に記憶された緊急手術器具セット８０Ｅの緊急情報を変更する。変更部４７は、緊急処理に関する情報および受け渡し方法に関する情報を変更する。変更部４７は、図９に示すように、図７の緊急手術器具セット８０Ｅの緊急処理に関する情報に関して第１表示欄２２Ａの「本日中に滅菌処理まで」を「本日中に洗浄まで」に変更し、受け渡し方法に関する情報に関して第２表示欄２２Ｂの「台車に置く」を「配達」に変更している。そして、登録ボタン２２Ｃを押すことによって変更が確定される。なお、図９に表示される画面は、例えば、図８に示す緊急手術器具セット８０Ｅを選択することによって表示される。
【００２２】
判定部４９は、緊急処理が完了したか否かを判定する。即ち、登録部４５によって登録された緊急情報を含む緊急手術器具セット８０Ｅについて、緊急処理が完了したかを判定する。判定部４９は、例えば、緊急処理に関する情報が「本日中に洗浄まで」の場合、携帯端末２０Ａの入力部６９によって、緊急手術器具セット８０Ｅの各手術用器具８２の洗浄が完了したことが入力されると、緊急処理が完了したと判定する。判定部４９は、例えば、緊急処理に関する情報が「本日中に組み立てまで」の場合、携帯端末２０Ｂの入力部６９によって、緊急手術器具セット８０Ｅの組み立てが完了したことが入力されると、緊急処理が完了したと判定する。判定部４９は、例えば、緊急処理に関する情報が「本日中に滅菌処理まで」の場合、携帯端末２０Ｃの入力部６９によって、手術器具セット８０の滅菌処理が完了したことが入力されると、緊急処理が完了したと判定する。
【００２３】
次に、携帯端末２０Ａ〜２０Ｃの構成について詳細に説明する。なお、携帯端末２０Ａ〜２０Ｃの基本的な構成は同様であるため、携帯端末２０Ａについて説明し、携帯端末２０Ｂ〜２０Ｃについては、携帯端末２０Ａと同様の説明は省略する。携帯端末２０Ａは、コンピュータを内蔵している。本実施形態の携帯端末２０Ａは、タブレット端末であるが、ノート型のパーソナルコンピュータやスマートフォン等であってもよい。携帯端末２０Ａは、表示画面２２を備えている。図４に示すように表示画面２２には、手術器具セット８０が表示される。ここで、図１に示された形態では、手術器具セット８０を洗浄する洗浄エリア９３Ａ、手術器具セット８０を組み立てる組立エリア９４Ａ、および、手術器具セット８０に滅菌処理を行う滅菌処理エリア９５Ａ等の作業エリアが設定されている。携帯端末２０Ａは、洗浄エリア９３Ａに配置されている。携帯端末２０Ｂは、組立エリア９４Ａに配置されている。携帯端末２０Ｃは、滅菌処理エリア９５Ａに配置されている。このように管理システム１０は、複数の離れた場所で、異なる複数の作業者によって同時に並行して利用されうるように構成されている。なお、各エリア９３Ａ、９４Ａ、９５Ａに配置される携帯端末２０Ａ〜２０Ｃの数は、１つに限定されず複数であってもよいし、相互に異なっていてもよい。
【００２４】
図３に示すように、携帯端末２０Ａは、第２送受信部６３と、表示部６５と、選択部６７と、入力部６９とを備えている。これら各部は、ソフトウェアによって構成されていてもよい。また、上記各部は、携帯端末２０Ａに構成されたプロセッサおよび／または回路によって実現されるものであってもよい。
【００２５】
第２送受信部６３は、サーバー１２との間で手術器具セット８０の情報を送受信する。より詳細には、第２送受信部６３は、第１送受信部４３から送信される緊急手術器具セット８０Ｅ（図８参照）の情報を受信する。第２送受信部６３は、第１送受信部４３から送信される通常手術器具セット８０Ｎ（図４参照）の情報を受信する。第２送受信部６３は、入力部６９によって手術器具セット８０に緊急情報が入力された場合、手術器具セット８０の緊急情報をサーバー１２に送信する。第２送受信部６３は、入力部６９によって緊急手術器具セット８０Ｅの緊急情報が変更された場合、変更後の緊急情報をサーバー１２に送信する。第２送受信部６３は、入力部６９によって入力された各種情報をサーバー１２に送信する。
【００２６】
表示部６５は、洗浄工程９３および組立工程９４および滅菌処理工程９５の少なくともいずれかの工程において、緊急手術器具セット８０Ｅを表示画面２２に表示する。図１に示す例では、携帯端末２０Ａの表示部６５は、洗浄工程９３において、緊急手術器具セット８０Ｅを携帯端末２０Ａの表示画面２２に表示する。携帯端末２０Ｂの表示部６５は、組立工程９４において、緊急手術器具セット８０Ｅを携帯端末２０Ｂの表示画面２２に表示する。携帯端末２０Ｃの表示部６５は、滅菌処理工程９５において、緊急手術器具セット８０Ｅを携帯端末２０Ｃの表示画面２２に表示する。
【００２７】
図８に示すように、表示部６５は、緊急手術器具セット８０Ｅを表示画面２２に第１の方法で表示する。図４に示すように、表示部６５は、通常手術器具セット８０Ｎを表示画面２２に第１の方法とは異なる第２の方法で表示する。表示部６５は、例えば図８に示すように、第１の方法として、携帯端末２０Ａの表示画面２２に緊急手術器具セット８０Ｅの写真８０ＥＰを表示しかつ緊急手術器具セット８０Ｅの写真８０ＥＰの背景８０ＥＢを第１の色にする。ここでは、第１の色は例えば赤色である。なお、図４に示す例では、背景８０ＥＢを斜線で表している。表示部６５は、例えば図４に示すように、第２の方法として、携帯端末２０Ａの表示画面２２に通常手術器具セット８０Ｎの写真８０ＮＰを表示しかつ通常手術器具セット８０Ｎの写真８０ＮＰの背景８０ＮＢを第２の色にする。ここでは、第２の色は例えば白色である。
【００２８】
図１０に示すように、表示部６５は、サーバー１２の登録部４５によって登録された緊急情報を含む緊急手術器具セット８０Ｅが複数あるとき、登録された複数の緊急手術器具セット８０Ｅの第１リスト８５Ａを表示画面２２に表示する。第１リスト８５Ａには、登録された複数の緊急手術器具セット８０Ｅが一覧表示される。
【００２９】
図１１に示すように、表示部６５は、サーバー１２の判定部４９によって緊急処理が完了したと判定された緊急手術器具セット８０Ｅをグレイアウトして表示画面２２に表示させる。図１１に示す例では、左に位置する緊急手術器具セット８０Ｅ（ここでは手術器具セットＡ）は、グレイアウトして表示され、中央に位置する緊急手術器具セット８０Ｅ（ここでは手術器具セットＢ）と右に位置する緊急手術器具セット８０Ｅ（ここでは手術器具セットＣ）は、第１の方法（ここでは背景８０ＥＢを赤色にして緊急手術器具セット８０Ｅの写真８０ＥＰが表示）で表示されている。なお、図１１に示す例では、赤色を表示する斜線とは逆向きの斜線でグレイアウトを表示している。このように、図１１に示す第１リスト８５Ａを確認することによって、右に位置する緊急手術器具セット８０Ｅと中央に位置する緊急手術器具セット８０Ｅとについては緊急処理が完了していないこと、左に位置する緊急手術器具セット８０Ｅについては緊急処理が完了していることが確認できる。
【００３０】
表示部６５は、サーバー１２の登録部４５によって登録された緊急情報を含む緊急手術器具セット８０Ｅが複数あるとき、サーバー１２の記憶部４１に記憶された手術計画に基づいて、手術の順番通りに複数の緊急手術器具セット８０Ｅを表示画面２２に表示してもよい。
【００３１】
図１２に示すように、表示部６５は、組立工程９４に含まれる確認工程において、組み立てられた複数の手術器具セット８０の第２リスト８５Ｂを表示画面２２に表示する。第２リスト８５Ｂには、組み立てが完了した複数の手術器具セット８０が一覧表示される。ここで、表示部６５は、図１２に示すように、第２リスト８５Ｂに緊急手術器具セット８０Ｅが含まれる場合には、緊急手術器具セット８０Ｅを第２リスト８５Ｂの先頭に表示する。ここでは、緊急手術器具セット８０Ｅは、通常手術器具セット８０Ｎよりも上に表示されている。
【００３２】
選択部６７は、第１リスト８５Ａ（図１０参照）に含まれる複数の緊急手術器具セット８０Ｅのいずれか一つを選択する。表示部６５は、図５に示すように、選択部６７によって選択された緊急手術器具セット８０Ｅの詳細な情報を表示画面２２に表示する。なお、選択部６７は、第１リスト８５Ａに含まれる緊急手術器具セット８０Ｅに関して、サーバー１２の判定部４９によって緊急処理が完了したと判定された緊急手術器具セット８０Ｅを選択できないように構成されている。
【００３３】
入力部６９は、手術器具セット８０に関する種々の情報を入力する。入力された情報は、第２送受信部６３を介してサーバー１２に送信される。本実施形態では、表示画面２２の表面に配置されたタッチパネルを操作することによって入力部６９による入力が行われる。なお、入力部６９は、マウスやキーボード等の入力装置を操作することによって入力が行われるように構成されていてもよい。
【００３４】
次に、手術器具セット８０に緊急情報を登録する一連の流れについて説明する。図４に示すように、緊急情報が登録されていない場合には、洗浄工程９３、組立工程９４および滅菌処理工程９５において、携帯端末２０Ａ〜２０Ｃの表示画面２２に通常手術器具セット８０Ｎが一覧表示される。ここでは、図４の表示画面２２の最も左側に表示された手術器具セットＡに緊急情報を登録する例を説明する。図４の表示画面２２において、入力部６９を介して手術器具セットＡと表示された通常手術器具セット８０Ｎを選択すると、図５に示すように、表示画面２２に手術器具セットＡの詳細な情報が表示される。図５には、手術器具セットＡの写真８０ＮＰと、手術器具セットＡの基本情報が表示される第１領域２５Ａと、メモ書き（特筆事項）が表示される第２領域２５Ｂと、特定の作業を確認したときにチェックマークが表示されるアイコン２５Ｃと、全ての確認作業を完了したときに用いるボタンである完了ボタン２５Ｄとが表示される。
【００３５】
ここで、図５に示すように、表示画面２２には、登録された複数の緊急手術器具セット８０Ｅの第１リスト８５Ａを表示するリスト表示ボタン２８が設けられている。入力部６９を介してリスト表示ボタン２８を選択すると、図６に示すように、第１リスト８５Ａが表示される。図６に示す例では、緊急手術器具セット８０Ｅが登録されていないため、第１リスト８５Ａは空白である。第１リスト８５Ａには、緊急情報を登録するための緊急情報登録ボタン２９が設けられている。入力部６９を介して緊急情報登録ボタン２９を選択すると、図７に示すように、既に選択されていた手術器具セットＡに緊急情報を登録するための表示に切り替わる。ここでは、例えば、入力部６９を介して第１表示欄２２Ａに「本日中に滅菌処理まで」と入力しかつ第２表示欄２２Ｂに「台車に置く」と入力して、登録ボタン２２Ｃを選択することによって、図８に示すように、第１リスト８５Ａには、手術器具セットＡに対して緊急情報が登録された緊急手術器具セット８０Ｅが表示される。緊急手術器具セット８０Ｅの写真８０ＥＰの背景８０ＥＢは第１の色（ここでは赤色）で表示される。また、写真８０ＥＰの下には、手術器具セットの名称と緊急情報が表示される。
【００３６】
図８に示すように、第１リスト８５Ａに表示された緊急手術器具セット８０Ｅを選択すると、図９に示すように、手術器具セットＡに緊急情報を登録するための画面が再度表示される。入力部６９を介して第１表示欄２２Ａおよび第２表示欄２２Ｂの内容を変更することができる。ここでは、例えば、入力部６９を介して第１表示欄２２Ａに「本日中に洗浄まで」と入力しかつ第２表示欄２２Ｂに「配達」と入力して、登録ボタン２２Ｃを選択することによって、図１０に示すように、第１リスト８５Ａに表示された手術器具セットＡに対する緊急情報の内容が変更される。なお、図１０に示す例では、手術器具セットＢおよび手術器具セットＣについても、手術器具セットＡと同様の手順によって緊急情報を登録している。このため、第１リスト８５Ａには、手術器具セットＢおよび手術器具セットＣに対して緊急情報が登録された緊急手術器具セット８０Ｅがそれぞれ表示されている。
【００３７】
図１１に示すように、特定の緊急手術器具セット８０Ｅについて緊急処理が完了すると、第１リスト８５Ａにおいてグレイアウトして表示される。図１１に示す例では、手術器具セットＡについて緊急処理が完了しているため、手術器具セットＡについての緊急手術器具セット８０Ｅはグレイアウトして表示されている。ここで、グレイアウトして表示された緊急手術器具セット８０Ｅは、上述したように入力部６９によって選択することができない。
【００３８】
なお、図１２に示すように、組立工程９４に含まれる確認工程において、携帯端末２０Ｂの表示画面２２には、組み立てられた複数の手術器具セット８０の第２リスト８５Ｂが表示される。図１２に示す例では、第２リスト８５Ｂの先頭に緊急手術器具セット８０Ｅが表示されている。第２リスト８５Ｂには、緊急手術器具セット８０ＥおよびＮのそれぞれに対して、組み立てられた手術器具セットの内容が適切であることが確認されたときに選択される確認ボタン２６が設けられている。確認ボタン２６が選択されると、滅菌処理工程９５において確認が完了した緊急手術器具セット８０Ｅおよび通常手術器具セット８０Ｎが表示画面２２に表示されるようになる。
【００３９】
以上のように、本施形態の管理システム１０によると、登録部４５は、手術器具セット８０に緊急情報を登録する。即ち、緊急の手術が実施されるときには、作業者は、特定の手術器具セット８０に対して緊急に準備が必要であるという情報を付与することができる。そして、表示部６５は、緊急手術器具セット８０Ｅを表示画面２２に第１の方法で表示し、かつ、通常手術器具セット８０Ｎを表示画面２２に第２の方法で表示する。これにより、他の作業者が表示画面２２に表示された手術器具セット８０の表示態様を確認することによって、どの手術器具セット８０を優先して準備する必要があるかを容易に理解することができる。ここでは、緊急手術器具セット８０Ｅが第１の方法で表示され、通常手術器具セット８０Ｎは第２の方法で表示されるため、作業者は第１の方法で表示された緊急手術器具セット８０Ｅを優先して準備することができる。
【００４０】
本実施形態の管理システム１０によると、表示部６５は、第１の方法として、表示画面２２に緊急手術器具セット８０Ｅの写真８０ＥＰを表示しかつ緊急手術器具セット８０Ｅの写真８０ＥＰの背景８０ＥＢを第１の色にし、かつ、第２の方法として、表示画面２２に通常手術器具セット８０Ｎの写真８０ＮＰを表示しかつ通常手術器具セット８０Ｎの写真８０ＮＰの背景８０ＮＢを第１の色とは異なる第２の色にする。これにより、作業者は表示画面２２に表示された写真８０ＥＰおよび写真８０ＮＰの背景の色を確認することにより、どの手術器具セット８０が緊急を要するのかを確認することができる。ここでは、写真８０ＥＰの背景８０ＥＢが第１の色である場合に、作業者はその写真８０ＥＰの手術器具セット８０が緊急手術器具セット８０Ｅであることを認識することができる。
【００４１】
本実施形態の管理システム１０によると、表示部６５は、洗浄工程９３および組立工程９４および滅菌処理工程９５の少なくともいずれかの工程において、緊急手術器具セット８０Ｅを表示画面２２に表示する。例えば、緊急情報が洗浄工程９３において登録されると、その後の組立工程９４および滅菌処理工程９５においても同様に、緊急手術器具セット８０Ｅが表示画面２２に表示される。ここで、洗浄工程９３および組立工程９４および滅菌処理工程９５では、扱う手術用器具８２および手術器具セット８０が非常に多いため、作業者は表示画面２２を見ながら作業を行うことが多い。上述したように、表示画面２２には緊急手術器具セット８０Ｅが表示されるため、作業者は容易に緊急手術器具セット８０Ｅの有無を確認することができる。
【００４２】
本実施形態の管理システム１０によると、緊急情報は、緊急処理に関する情報と、受け渡し方法に関する情報とを含む。これにより、緊急手術器具セット８０Ｅに対する必要な処理と、受け渡し方法とを複数の作業者間において容易に共有することができる。
【００４３】
本実施形態の管理システム１０は、緊急処理に関する情報および受け渡し方法に関する情報を変更する変更部４７を備えている。これにより、作業者は緊急な状況に対してより柔軟に対応することができる。
【００４４】
本実施形態の管理システム１０によると、表示部６５は、登録部４５によって登録された緊急情報を含む緊急手術器具セット８０Ｅが複数あるとき、登録された複数の緊急手術器具セット８０Ｅの第１リスト８５Ａを表示画面２２に表示する。これにより、作業者は表示画面２２に表示された第１リスト８５Ａを確認することで、緊急手術器具セット８０Ｅを容易に把握することができる。
【００４５】
本実施形態の管理システム１０は、第１リスト８５Ａに含まれる複数の緊急手術器具セット８０Ｅのいずれか一つを選択する選択部６７と、緊急処理が完了したか否かを判定する判定部４９と、を備えている。選択部６７は、判定部４９によって緊急処理が完了したと判定された緊急手術器具セット８０Ｅを選択できないように構成されている。緊急処理が完了した緊急手術器具セット８０Ｅに関しては、緊急情報を変更する必要や特定の更なる処理が必要でないため、作業者によって誤った処理が行われないようにしている。
【００４６】
本実施形態の管理システム１０によると、表示部６５は、判定部４９によって緊急処理が完了したと判定された緊急手術器具セット８０Ｅをグレイアウトして表示画面２２に表示させる。これにより、作業者は緊急手術器具セット８０Ｅのうち緊急処理が完了しているか否かを容易に判断することができる。
【００４７】
本実施形態の管理システム１０によると、確認工程において、表示部６５は、組み立てられた複数の手術器具セット８０の第２リスト８５Ｂを表示画面に表示するときに、緊急手術器具セット８０Ｅを第２リスト８５Ｂの先頭に表示する。これにより、作業者は、緊急手術器具セット８０Ｅの内容が適切であるかを優先的に確認することができる。
【００４８】
本実施形態の管理システム１０は、手術計画を記憶する記憶部４１を備えている。登録部４５は、手術計画に基づいて、手術開始までの時間が所定の時間以内の手術器具セット８０に緊急情報を登録する。このように、手術計画に関連付けて緊急情報を自動で登録することによって、作業者の負担が軽減されると共に緊急情報の登録忘れを抑制することができる。
【００４９】
本実施形態の管理システム１０によると、表示部６５は、登録部４５によって登録された緊急情報を含む緊急手術器具セット８０Ｅが複数あるとき、手術計画に基づいて、手術の順番通りに複数の緊急手術器具セット８０Ｅを表示画面２２に表示する。これにより、作業者は、表示された緊急手術器具セット８０Ｅの順番の通りに作業を行えばよいため、処理する順番を間違えることが抑制される。
【００５０】
上述した実施形態では、緊急手術器具セット８０Ｅと通常手術器具セット８０Ｎとを背景の色の違いによって識別していたが、これに限定されない。例えば、緊急手術器具セット８０Ｅを通常手術器具セット８０Ｎよりも大きく表示したり、緊急手術器具セット８０Ｅに対して通常手術器具セット８０Ｎにはない特別な識別標識（例えば「緊急」の文字）を付与したりしてもよい。
【符号の説明】
【００５１】
１０  管理システム
１２  サーバー
２０Ａ〜２０Ｃ  携帯端末
２２  表示画面
４１  記憶部
４５  登録部
４７  変更部
４９  判定部
６５  表示部
６７  選択部
８０  手術器具セット
８０Ｅ  緊急手術器具セット
８０Ｎ  通常手術器具セット
８２  手術用器具
【図１】
2020194266.tif 000003
【図２】
2020194266.tif 000004
【図３】
2020194266.tif 000005
【図４】
2020194266.tif 000006
【図５】
2020194266.tif 000007
【図６】
2020194266.tif 000008
【図７】
2020194266.tif 000009
【図８】
2020194266.tif 000010
【図９】
2020194266.tif 000011
【図１０】
2020194266.tif 000012
【図１１】
2020194266.tif 000013
【図１２】
2020194266.tif 000014